(57)【要約】【課題】停止時に電動圧縮要素のブレーキトルクが大きくても、通常運転時の振動を大きくすることなく最大回転揺動量を抑制する。【解決手段】圧縮機側スナブバ１１７の外周部１２７は、少なくとも一部が底部１４０から頭部１３７にかけて外径が小さくなる所定の曲面で形成されるとともに、底部１４０の外径に対する頭部１３７の外径の比率は９０から９７％の範囲内となるように形成されたもので、停止直前の圧縮負荷が大きく、ブレーキトルクが大きい場合においても、圧縮機側スナブバ１１７の外周部の曲面によりコイルバネ１１８のバネ力が回転方向の変位に応じて早く大きくなり結果として最大回転揺動量を低減する。【選択図】図３
2010242590.tif 000002
【特許請求の範囲】
【請求項１】
密閉容器と、前記密閉容器内に収納され圧縮室内を往復運動するピストンを含んだ電動圧縮要素と、前記電動圧縮要素を弾性的に支持する両端に密着巻部を有したコイルバネを備え、前記コイルバネは前記密閉容器側に設けた突起部であるシェル側スナブバと、前記電動圧縮要素側に設けた圧縮機側スナブバにそれぞれ両端部を挿入され、前記圧縮機側スナブバの外周部は、少なくとも一部が底部から頭部にかけて外径が小さくなる所定の曲面で形成されるとともに、前記底部の外径に対する前記頭部の外径の比率は９０から９７％の範囲内であることを特徴とした密閉型圧縮機。
【請求項２】
圧縮機側スナブバの外周部は、縦断面における形状がＲ形状の曲面であることを特徴とした請求項１に記載の密閉型圧縮機。
【請求項３】
コイルバネは、電動圧縮要素を弾性的に支持した状態において、前記電動圧縮要素の回転を拘束するバネ特性を有し、前記電動圧縮要素の回転方向の変位に対するバネ特性のバネ定数は、２から５Ｎ／ｍｍの範囲内であることを特徴とした請求項１または２に記載の密閉型圧縮機。
【請求項４】
電動圧縮要素は、商用電源周波数未満の回転数を含む複数の回転数で運転することを特徴とした請求項１から３のいずれか一項に記載の密閉型圧縮機。
【請求項５】
圧縮室は、１０ｃｃを超える容積であることを特徴とした請求項１から４のいずれか一項に記載の密閉型圧縮機。
【請求項６】
圧縮機側スナブバの頭部を、電動圧縮要素を構成する圧縮要素と電動要素とを締結する締結ボルトの頭部と同じ形状とした請求項１から５のいずれか一項に記載の密閉型圧縮機。
【請求項７】
圧縮機側スナブバの頭部と外周部の接続部は、縦断面における形状がコイルバネの線径の１／２以上のＲ形状とした請求項１から６のいずれか一項に記載の密閉型圧縮機。
【発明の詳細な説明】
【技術分野】
【０００１】
本発明は、冷凍冷蔵冷却装置等に用いられる密閉型圧縮機に関するものである。
【背景技術】
【０００２】
従来、この種の密閉型圧縮機としては、振動や騒音を低減する弾性支持装置を密閉容器内に備えたものがある（例えば、特許文献１参照）。
【０００３】
以下、図面を参照しながら上記従来の密閉型圧縮機を説明する。
【０００４】
図６は従来の密閉型圧縮機の縦断面図、図７は従来の密閉型圧縮機の上面図、図８は従来の密閉型圧縮機の要部拡大断面図、図９は従来の密閉型圧縮機の動作説明図である。
【０００５】
図６から図９において、密閉容器１は電動要素２と圧縮要素３とからなる電動圧縮要素４を、複数の弾性支持装置５によって弾性支持し，収容している。電動要素２は固定子６と回転子７とからなり、圧縮要素３を駆動する。
【０００６】
次に圧縮要素３の主な構成について説明する。
【０００７】
シリンダブロック８は軸受け部９を備えている。シャフト１０は主軸部１１と偏心部１２とを備え、主軸部１１はシリンダブロック８の軸受け部９に軸支されるとともに回転子７が圧入固定され、偏心部１２は連結機構１３によりピストン１４と連結している。
【０００８】
次に弾性支持装置５の構成について説明する。
【０００９】
弾性支持装置５は、シェル側スナブバ１５と圧縮機側スナブバ１７とコイルバネ１８とから構成されている。シェル側スナブバ１５は密閉容器１の底部に固定されている。圧縮機側スナブバ１７は、電動圧縮要素４に固定されている。
【００１０】
コイルバネ１８はシェル側スナブバ１５と圧縮機側スナブバ１７に両端が挟持されている。
【００１１】
電動圧縮要素４には、圧縮要素３で圧縮された冷媒（図示せず）を密閉容器１外へ導く吐出配管３０が配置され、密閉容器１と接続されている。
【００１２】
以上のように構成された密閉型圧縮機について、以下その動作を説明する。
【００１３】
運転時においては、電動要素２に電気が供給されると回転子７が回転し、シャフト１０は回転駆動され、シャフト１０の回転運動が連結機構１３によってピストン１４に伝えられ、圧縮動作を行う。
【００１４】
このとき、ピストン１４で発生する圧縮負荷に応じて電動要素２は回転トルクを発生し、圧縮動作を続ける。
【００１５】
この際、圧縮動作に伴い電動圧縮要素４は振動するが、弾性支持装置５が密閉容器１への伝達を減衰し、密閉型圧縮機全体の振動を低減する。
【００１６】
また、停止時、電動要素２への電気供給が止まると、電動要素２が発生していた回転ト
ルクがなくなるので、ピストン１４で発生する圧縮負荷が連結機構１３によって、シャフト１０と回転子７にブレーキトルクを与え、回転運動が停止する。その際、ブレーキトルクに応じて、電動圧縮要素４はシャフト１０の主軸部１１を略中心として回転子７の回転方向へと回動するが、弾性支持装置５がそのエネルギーを吸収し、回転方向と反回転方向の回転揺動運動を繰り返しながら減衰させることで、密閉容器１への伝達を減衰し、停止時の密閉型圧縮機全体の揺動をも低減する。
【特許文献１】特開２０００−０９７１５３号公報
【発明の開示】
【発明が解決しようとする課題】
【００１７】
しかしながら、上記従来の構成では、停止直前の吐出圧力や、吸入圧力が高い場合には圧縮負荷が大きいことから、停止時に回転運動していた回転子７やシャフト１０に作用するブレーキトルクも大きくなり、電動圧縮要素４の主軸部１１を略中心にした回転揺動量も大きくなる。
【００１８】
このとき、停止直前に図８に示すように内部配管などの拘束部に大きな力が発生することになり、吐出配管３０などを設計する上で剛性を高くする必要があった。このため運転時に電動圧縮要素４から吐出配管３０を通じて伝達する振動が大きくなり密閉型圧縮機全体の振動を高くしてしまう課題があった。
【００１９】
一方、電動圧縮要素４の停止時の回転揺動量を抑えるために弾性支持装置５のコイルバネ１８のバネ力を上げるといった手法があるが、バネ力を上げると運転時の振動の減衰力が低下するので、コイルバネ１８を通じて伝達する振動が大きくなり密閉型圧縮機全体の振動を上げてしまうことになる。
【００２０】
本発明は、上記従来の課題を解決するもので、停止時の電動圧縮要素の回転揺動量を低減し、振動が小さく信頼性の高い密閉型圧縮機を提供することを目的とする。
【課題を解決するための手段】
【００２１】
上記従来の課題を解決するために、本発明の密閉型圧縮機は、圧縮機側スナブバの外周部は、少なくとも一部が底部から頭部にかけて外径が小さくなる所定の曲面で形成されるとともに、底部の外径に対する頭部の外径の比率は９０から９７％の範囲内となるように形成されたもので、停止直前の圧縮負荷が大きく、ブレーキトルクが大きい場合においても、圧縮機側スナブバの外周部の曲面によりコイルバネのバネ力が回転方向の変位に応じて早く大きくなり結果として最大の回転揺動量を低減する作用を有する。
【発明の効果】
【００２２】
本発明の密閉型圧縮機は、電動圧縮要素のブレーキトルクが所定の値以上になっても電動圧縮要素の回転揺動量を低減することができるので、運転時の振動を低減し、信頼性の高い密閉型圧縮機を提供することができる。
【発明を実施するための最良の形態】
【００２３】
請求項１に記載の発明は、密閉容器と、前記密閉容器内に収納され圧縮室内を往復運動するピストンを含んだ電動圧縮要素と、前記電動圧縮要素を弾性的に支持する両端に密着巻部を有したコイルバネを備え、前記コイルバネは前記密閉容器側に設けた突起部であるシェル側スナブバと、電動圧縮要素側に設けた圧縮機側スナブバにそれぞれ両端部を挿入され、前記圧縮機側スナブバの外周部は、少なくとも一部が底部から頭部にかけて外径が小さくなる所定の曲面で形成されるとともに、前記底部の外径に対する前記頭部の外径の比率は９０から９７％の範囲内であることを特徴としたもので、停止直前の圧縮負荷が大きく、ブレーキトルクが大きい場合においても、圧縮機側スナブバの外周部の曲面がコイ
ルバネ内面に接する部分が早く増加し、少しの変位でコイルバネの有効巻き部が減少することにより回転方向のバネ力が大きくなるので、結果として最大の回転揺動量を低減し、振動が小さく、信頼性の高い密閉型圧縮機を提供することができる。
【００２４】
請求項２に記載の発明は、請求項１に記載の発明において、圧縮機側スナブバの外周部は、縦断面における形状がＲ形状の曲面であることを特徴としたもので、コイルバネに接触する面が連続的であるのでコイルバネに特異な力を発生させることなく連続的にバネ定数を変化させることができるので、請求項１に記載の発明の効果に加え、さらに信頼性の高い密閉型圧縮機を提供することができる。
【００２５】
請求項３に記載の発明は、請求項１または２に記載の発明において、コイルバネは、電動圧縮要素を弾性的に支持した状態において、前記電動圧縮要素の回転を拘束するバネ特性を有し、前記電動圧縮要素の回転方向の変位に対するバネ特性のバネ定数は、２から５Ｎ／ｍｍの範囲内であることを特徴としたもので、密閉型圧縮機全体の振動を低減するためにコイルバネのバネ力を小さくした場合においても、停止直前の最大回転揺動量を低減することができるので、請求項１または２に記載の発明の効果に加え、さらに振動が小さくすることができる。
【００２６】
請求項４に記載の発明は、請求項１から３のいずれか一項に記載の発明において、電動要素は商用電源周波数未満の回転数を含む複数の回転数で運転することを特徴としたもので、停止時の最大回転揺動量を低減することでバネ定数の低いコイルバネを使用することができるので、請求項１から３のいずれか一項に記載の発明の効果に加え、さらにより低回転で運転することができるので冷蔵庫としての消費電力量を低減することができる。
【００２７】
請求項５に記載の発明は、請求項１から４のいずれか一項に記載の発明において、圧縮室は、１０ｃｃを超える容積であることを特徴としたもので、容積が増えると圧縮負荷が大きくなり停止時に発生するブレーキトルクが大きくなるが、最大の回転揺動量を低減することができるので、請求項１から４のいずれか一項に記載の発明の効果に加え、さらに信頼性の高い密閉型圧縮機を提供することができる。
【００２８】
請求項６に記載の発明は、請求項１から５のいずれか一項に記載の発明において、圧縮機側スナブバの頭部を、電動圧縮要素を構成する圧縮要素と電動要素とを締結する締結ボルトの頭部と同じ形状としたもので、部品点数を減らすことができるので請求項１から５のいずれか一項に記載の発明の効果に加え、さらに安価な密閉型圧縮機を提供することができる。
【００２９】
請求項７に記載の発明は、請求項１から６のいずれか一項に記載の発明において、圧縮機側スナブバの頭部と外周部の接続部は、縦断面における形状がコイルバネの線径の１／２以上のＲ形状としたもので、コイルバネの線径よりスナブバの頭部と外周部の接続部のＲを大きくすることで、停止時の回転揺動時にスナブバの頭部がコイルバネを傷つけることを防止し、請求項１から６のいずれか一項に記載の発明の効果に加え、さらに信頼性の高い密閉型圧縮機を提供することができる。
【００３０】
以下、本発明による密閉型圧縮機の実施の形態について、図面を参照しながら説明する。なお、この実施の形態によってこの発明が限定されるものではない。
【００３１】
（実施の形態１）
図１は本発明の実施の形態１における密閉型圧縮機の縦断面図、図２は同実施の形態における密閉型圧縮機の上面図、図３は同実施の形態における密閉型圧縮機の要部拡大断面図、図４は同実施の形態における密閉型圧縮機の動作説明図、図５は同実施の形態におけ
る密閉型圧縮機のコイルバネのバネ特性図である。
【００３２】
ここで、図５のコイルバネのバネ特性図は、電動圧縮要素の変位に対するバネ特性図を示しており、電動圧縮要素が回転方向してコイルバネが回転方向に変位した際の、コイルバネに蓄えられる元に戻ろうとする力（バネ力）を示している。
【００３３】
図１から図５において、密閉容器１０１は電動要素１０２と圧縮要素１０３とからなる電動圧縮要素１０４を、複数の弾性支持装置１０５によって弾性支持し，収容している。電動要素１０２は固定子１０６と回転子１０７とからなり、圧縮要素１０３を駆動する。
【００３４】
このとき、電動要素１０２は商用電源周波数未満の回転数を含む複数の回転数で運転する。
【００３５】
次に圧縮要素１０３の主な構成について説明する。
【００３６】
シリンダブロック１０８は軸受け部１０９を備えている。シャフト１１０は主軸部１１１と偏心部１１２とを備え、主軸部１１１はシリンダブロック１０８の軸受け部１０９に軸支されるとともに回転子１０７が圧入固定され、偏心部１１２は連結機構１１３によりピストン１１４と連結している。
【００３７】
シリンダブロック１０８とピストン１１４で形成される圧縮室１４８の容量は１０ｃｃとなるように設定されている。
【００３８】
次に弾性支持装置１０５の構成について説明する。
【００３９】
弾性支持装置１０５は、シェル側スナブバ１１５と圧縮機側スナブバ１１７とコイルバネ１１８とから構成されている。シェル側スナブバ１１５は密閉容器１０１の底部に固定されている。圧縮機側スナブバ１１７は、電動圧縮要素１０４に固定されている。
【００４０】
圧縮機側スナブバ１１７は圧縮要素１０３と電動要素１０２を締結する締結ボルト１５７の頭部と一体に形成されている。
【００４１】
また、圧縮機側スナブバ１１７の外周部１２７は、少なくとも一部の縦断面が底部１４０から頭部１３７にかけて外径が小さくなるようなＲ形状の曲面で形成されるとともに、底部１４０の外径に対する頭部１３７の外径の比率は９０から９７％の範囲になるように形成されている。
【００４２】
また、圧縮機側スナブバ１１７の頭部１３７と外周部１２７の接続部１４７は、コイルバネ１１８の線径の１／２以上のＲ形状となっている。
【００４３】
そして、圧縮機側スナブバ１１７の頭部１３７のシェル側スナブバ１１５側には、頭部１３７よりも外径の小さい突出部１１５が設けられている。
【００４４】
コイルバネ１１８は回転方向の変位に対するバネ特性のバネ定数は、２から５Ｎ／ｍｍの範囲で設定されておりシェル側スナブバ１１５と圧縮機側スナブバ１１７に両端が挟持されている。
【００４５】
電動圧縮要素１０４には、圧縮要素１０３で圧縮された冷媒（図示せず）をシェル外へ導く吐出配管１３０が配置され、密閉容器１０１と接続されている。
【００４６】
以上のように構成された密閉型圧縮機について、以下その動作を説明する。
【００４７】
運転時においては、電動要素１０２に電気が供給されると回転子１０７が回転し、シャフト１１０は回転駆動され、シャフト１１０の回転運動が連結機構１１３によってピストン１１４に伝えられ、圧縮動作を行う。
【００４８】
このとき、ピストン１１４で発生する圧縮負荷に応じて電動要素１０２は回転トルクを発生し、圧縮動作を続ける。
【００４９】
この際、圧縮動作に伴い電動圧縮要素１０４は振動するが、弾性支持装置１０５が密閉容器１０１への伝達を減衰し、密閉型圧縮機全体の振動を低減する。
【００５０】
また、停止時、電動要素１０２への電気供給が止まると、電動要素１０２が発生していた回転トルクがなくなるので、ピストン１１４で発生する圧縮負荷が連結機構１１３によって、シャフト１１０と回転子１０７にブレーキトルクを与え、回転運動が停止する。その際、ブレーキトルクに応じて、電動圧縮要素１０４はシャフト１１０の主軸部１１１を略中心として回転子１０７の回転方向へと回動するが、弾性支持装置１０５がそのエネルギーを吸収し、回転方向と反回転方向の回転揺動運動を繰り返しながら減衰させることで、密閉容器１０１への伝達を減衰し、停止時の密閉型圧縮機全体の揺動をも低減する。
【００５１】
ここで、停止直前の吐出圧力や、吸入圧力が高い場合には、圧縮負荷が大きいことから、停止時に回転運動していた回転子１０７とシャフト１１０に作用するブレーキトルクも大きくなり、電動圧縮要素１０４の主軸部１１１を略中心にした回転揺動も大きくなる。
【００５２】
このとき、回転揺動量が大きくなり、吐出配管１３０などの拘束部に作用する力が大きくなるが、本実施の形態における圧縮機側スナブバ１１７の外周部１２７は、縦断面が底部１４０から頭部１３７にかけて小さくなるようなＲ形状をしており、底部１４０の外径に対する頭部１３７の外径の比率が９０から９７％の範囲となるようにしている。
【００５３】
そのため、図５に示したように、電動圧縮要素１０４の回転方向の変位に対して、コイルバネ１１８の内面が圧縮機側スナブバ１１７の外周部１２７の曲面の軸方向により多く接するため、電動圧縮要素１０４の少しの回転方向の変位でコイルバネ１１８の有効巻き部が減少し回転方向のバネ力が大きくなるので、通常運転時は密閉容器１０１に伝わる振動を低減したままで、運転が停止した時の電動圧縮要素１０４の最大回転揺動量を低減することができる。その結果、吐出配管１３０などの拘束部に作用する力も小さくなる。
【００５４】
したがって、振動が小さく信頼性の高い密閉型圧縮機を提供することができる。
【００５５】
特に、圧縮機側スナブバ１１７の外周部１２７を、縦断面が底部１４０から頭部１３７にかけて小さくなるようなＲ形状で形成しているため、電動圧縮要素１０４が停止した際に、電動圧縮要素１０４の回転に伴ってコイルバネ１１８が変形しても、コイルバネ１１８が圧縮機側スナブバ１１７の外周部のＲ形状に沿ってリニアに変形し、そのバネ力が電動圧縮要素１０４の回転揺動を抑制するように作用する。
【００５６】
そのため、コイルバネ１１８がリニアに変形し、局所的に応力が集中することがないため、圧縮要素１０４の回転揺動をスムーズに抑制することができ、コイルバネ１１８の信頼性が高まるとともに、圧縮機側スナブバ１１７とコイルバネ１１８の摺動が抑制され、摺動に伴う騒音を低減することができる。
【００５７】
さらに、底部１４０の外径に対する頭部１３７の外径の比率が９０から９７％の範囲と
なるようにしているが、この比率が９０％未満と頭部がかなり先細形状とした場合、電動圧縮要素１０４が停止した際に、電動圧縮要素１０４の回転に伴ってコイルバネ１１８が大きく変形しないと電動圧縮要素１０４の回転方向のバネ力が得られず、その結果、電動圧縮要素１０４の回転揺動を抑制する効果が小さくなる。
【００５８】
そのため、電動圧縮要素１０４が大きく回転揺動し、吐出配管１３０などの拘束部に作用する力も大きく、吐出配管１３０の破損といった信頼性の低下要因となる。
【００５９】
電動圧縮要素１０４の回転揺動を抑制する効果が低下することを補うために、コイルバネ１１８のバネ力を上げると、コイルバネ１１８による振動の減衰力が低下するので、コイルバネ１１８を通じて伝達する振動が大きくなり、密閉型圧縮機全体の振動を上げてしまうことになる。
【００６０】
一方、底部１４０の外径に対する頭部１３７の外径の比率が９７％を超えると、圧縮機側スナブバ１１７は軸方向にほぼ円筒形状となり、通常運転時においても圧縮機側スナブバ１１７の外周部１２７とコイルバネ１１８の内周部が軸方向に長く摺動するため、摺動に伴う騒音が発生したり、コイルバネ１１８による密閉容器１０１に伝わる振動の低減効果が大幅に損なわれてしまう。
【００６１】
以上のように、底部１４０の外径に対する頭部１３７の外径の比率を９０から９７％の範囲となるように形成することで、電動圧縮要素１０４が停止した際に、電動圧縮要素１０４の回転揺動を抑制し吐出配管１３０などの拘束部に作用する力も低減する効果と、圧縮機側スナブバ１１７の外周部１２７とコイルバネ１１８の内周部の摺動に伴う騒音を抑制する効果と、通常運転時のコイルバネ１１８による密閉容器１０１に伝わる振動の低減効果をバランス良く得ることができる。
【００６２】
また、圧縮機側スナブバ１１７の外周部１２７の底部１４０の外径に対する頭部１３７の外径の比率は９０から９７％の範囲内としたが、その中でも９２から９５％の範囲とすることで、上述した効果を最もバランス良く得ることができる。
【００６３】
また、圧縮機側スナブバ１１７の突出部１１５は、コイルバネ１１８と当接したり摺動したりすることがないように形成されるとともに、密閉型圧縮機に対して上下方向の衝撃が作用した際には、シェル側スナブバ１１５に当接するように形成されており、この上下方向の衝撃により電動圧縮要素１０４などが破損したり、コイルバネ１１８がシェル側スナブバ１１５や圧縮機側スナブバ１１７からはずれたりすることを防止することができる。
【００６４】
なお、本発明の実施の形態１においては、圧縮機側スナブバ１１７の外周部１２７の底部１４０の外径に対する頭部１３７の外径の比率を上記設計とすることに加えて、底部１４０から頭部１３７までの軸方向高さ寸法（Ｈ）を、底部１４０の外径寸法の５０から７０％の範囲とし、具体的に軸方向高さ寸法（Ｈ）を１１から１３ｍｍの範囲内で設計し、また突出部１５０の軸方向高さを、底部１４０から頭部１３７までの軸方向高さ寸法（Ｈ）の約６０％で設計している。
【００６５】
上記設計により、弾性支持装置１０５を軸方向に大型化することなく、電動圧縮要素１０４の回転揺動の抑制効果、圧縮機側スナブバ１１７とコイルバネ１１８の摺動に伴う騒音の抑制効果と、通常運転時のコイルバネ１１８による振動の低減効果をバランス良く且つ十分に得ることができる。
【００６６】
また、コイルバネ１１８の回転方向の変位に対するバネ特性のバネ定数は、２から５Ｎ
／ｍｍの範囲で設定されているので、通常運転時のバネ定数としては比較的柔らかいが、停止時においては、バネ定数が硬くすることができるので最大回転揺動量を低減することができる。これによりさらに低回転で密閉型圧縮機を運転できることになる。
【００６７】
したがって、さらに低回転で密閉型圧縮機を運転できるので冷蔵庫としての消費電力量を低減することができる。
【００６８】
また、圧縮室１４８が１０ｃｃを超える大きな容積であるので、停止直前の圧縮負荷が大きいことから、ブレーキトルクも大きくなるが、停止時におけるコイルバネ１１８のバネ定数は大きくなるため最大回転揺動量は減少する。
【００６９】
したがって、振動の低い信頼性の高い密閉型圧縮機を提供できる。
【００７０】
また、圧縮機側スナブバ１１７を圧縮要素１０３と電動要素１０２を締結する締結ボルト１５７の頭部で形成することで、部品点数を減らすことができる。
【００７１】
したがって、安価な密閉型圧縮機を提供することができる。
【００７２】
また、圧縮機側スナブバ１１７の頭部１３７と外周部１２７の接続部１４７の縦断面における形状がコイルバネ１１８の線径の１／２以上のＲ形状としたので、コイルバネ１１８の線径より圧縮機側スナブバ１１７の頭部１３７と外周部１２７の接続部１４７のＲが大きくなり、停止時の回転揺動時に圧縮機側スナブバ１１７の頭部１３７がコイルバネ１１８を傷つけることを防止することができる。
【００７３】
したがって、信頼性の高い密閉型圧縮機を提供することができる。
【産業上の利用可能性】
【００７４】
以上のように、本発明に係わる密閉型圧縮機は、負荷が高い場合に停止しても、内部配管に発生する力を低減し、停止時の回転揺動量を低減した密閉型圧縮機を提供することができるので、負荷の高い業務用や空調用の用途にも適用できる。
【図面の簡単な説明】
【００７５】
【図１】本発明の実施の形態１における密閉型圧縮機の縦断面図
【図２】同実施の形態における密閉型圧縮機の上面図
【図３】同実施の形態における密閉型圧縮機の要部拡大断面図
【図４】同実施の形態における密閉型圧縮機の動作説明図
【図５】同実施の形態における密閉型圧縮機のコイルバネのバネ特性図
【図６】従来の密閉型圧縮機の縦断面図
【図７】従来の密閉型圧縮機の上面図
【図８】従来の密閉型圧縮機の要部拡大断面図
【図９】従来の密閉型圧縮機の動作説明図
【符号の説明】
【００７６】
１０１  密閉容器
１０２  電動要素
１０３  圧縮要素
１０４  電動圧縮要素
１１４  ピストン
１１５  シェル側スナブバ
１１７  圧縮機側スナブバ
１１８  コイルバネ
１２７  外周
１３７  頭部
１４０  底部
１４８  圧縮室
１５７  締結ボルト
【図１】
2010242590.tif 000003
【図２】
2010242590.tif 000004
【図３】
2010242590.tif 000005
【図４】
2010242590.tif 000006
【図５】
2010242590.tif 000007
【図６】
2010242590.tif 000008
【図７】
2010242590.tif 000009
【図８】
2010242590.tif 000010
【図９】
2010242590.tif 000011